(57)【要約】【課題】冷蔵庫における、除菌及び脱臭を行う場合、除菌フィルター及び脱臭触媒を使用するが、冷却器の抵抗により、冷気を積極的に除菌フィルター及び脱臭触媒を通過させることができないという課題を有する。【解決手段】冷却器１６とファン１７との間に除菌フィルター２２及び脱臭触媒２４を設置し、除菌フィルター２２及び脱臭触媒２３に専用に風が流れるよう設置された専用風路２７を備えることにより、冷却器１６通過時の抵抗に影響されにくく、冷気を積極的に除菌フィルター２２及び脱臭触媒２４を通過させることが可能となると共に、冷却器１６に付着している菌や臭い成分分子を冷蔵室１３、冷凍室１５に流出することなく除菌フィルター２２及び脱臭触媒２４にて、取り除くことができる。【選択図】図２
2005195294.tif 000002
【特許請求の範囲】
【請求項１】
冷却器と、前記冷却器で冷却された冷気を循環するためのファンと、前記冷却器およびファンと庫内とを仕切る仕切り板と、前記冷却器と前記ファンとの間の仕切り板に専用ダクトを設け、前記専用ダクト内に除菌フィルターを設けたことを特徴とする冷蔵庫。
【請求項２】
専用ダクト内にさらに脱臭触媒を配したことを特徴とする請求項１に記載の冷蔵庫。
【請求項３】
専用ダクトを別体構造とし仕切り板から着脱可能としたことを特徴とする請求項１または２に記載の冷蔵庫。
【請求項４】
除霜運転時にファンを運転する制御手段を備えたことを特徴とする請求項１から３のいずれか一項に記載の冷蔵庫。
【発明の詳細な説明】
【技術分野】
【０００１】
本発明は、冷蔵庫の除菌フィルター・脱臭触媒取付け構造に関するものである。
【背景技術】
【０００２】
近年、食品を貯蔵する冷蔵庫において、冷蔵庫内の閉ざされた空気中に存在する菌・臭いの除去に対し関心が高まっている。
【０００３】
従来、抗菌フィルターとして、ポリエステル等の合成繊維の不織布に銀化合物を担持させ、銀イオンの有する抗菌性を利用し、フィルターに掛かった菌を滅菌するものを風路内に配している。また、設置部の両側にバイパスを構成し目詰まり時の冷却不足を生じさせないようにしている。また、触媒系の脱臭剤を組み合わせ、除菌・脱臭を行っている。（例えば、特許文献１参照）。
【０００４】
図４は、特許文献１に記載された従来の冷蔵庫の除菌フィルター・脱臭触媒取り付け構造を示す断面図、図５は同冷蔵庫の除菌フィルター・脱臭触媒取り付けカセットの平面図である。図４、５において、従来の技術は、冷蔵室１と、冷凍室２と、冷気循環用ファン３と、冷却器４と、庫内を循環する気流が冷却器４によって冷却される空間を構成する冷却器室５と戻り風路６とカセットタイプの抗菌・脱臭装置７とから構成されている。
【０００５】
上記構成において、動作を説明する。冷蔵室１を冷却した冷気はファン３によって、戻り風路６をとおり冷却室５に入り、冷却器４を通過し、冷却され、冷凍室２に送風される。戻り風路６の吸込口には抗菌・脱臭装置７が配され冷蔵室を冷却した冷気が通過する。抗菌・脱臭装置内７内には、抗菌フィルターと脱臭触媒が配され、冷気の除菌、脱臭を行う。抗菌・脱臭装置７の両側には冷気戻りバイパス８を設けており、目詰まりしてもバイパスを介して冷気が通り、冷蔵室２の冷却不足という問題を生じさせないように配慮している。
【特許文献１】特開平５−２０３３３６号公報
【発明の開示】
【発明が解決しようとする課題】
【０００６】
しかしながら、除菌・脱臭装置を効果的に使用するためには、抗菌フィルター、脱臭触媒に冷気を積極的に通過させる必要があるが、戻り風路に抗菌フィルター、脱臭触媒を配置した場合、循環用ファンとの間に冷却器があり、その冷却器が大きな抵抗となり、より多くの冷気を抗菌フィルター、脱臭触媒に通過させることができないという課題を有する。
【０００７】
また、戻り風路に抗菌フィルター、脱臭触媒を配置しているため、冷却器に付着している菌や臭い成分分子は、ファンにより吸い込まれ、冷蔵室、冷凍室に流出してしまうという課題を有する。
【０００８】
本発明は、上記従来の課題を解決するもので、脱臭、除菌性能を高めた冷蔵庫を提供することを目的とする。
【課題を解決するための手段】
【０００９】
上記従来の課題を解決するために、本発明の冷蔵庫は、冷却器と、前記冷却器で冷却された冷気を循環するためのファンと、前記冷却器およびファンと庫内とを仕切る仕切り板と、前記冷却器と前記ファンとの間の仕切り板に専用ダクトを設け、前記専用ダクト内に除菌フィルターを設けたものである。
【００１０】
これによって、冷却器通過時の抵抗に影響されにくく、冷気を積極的に除菌フィルターを通過させることが可能となると共に、冷却器に付着している菌を冷蔵室、冷凍室に流出することなく除菌フィルターにて、取り除くことができる。
【発明の効果】
【００１１】
本発明の冷蔵庫は、冷却器通過時の抵抗に影響されにくく、冷気を積極的に除菌フィルターを通過させることが可能となると共に、冷却器に付着している菌を冷蔵室、冷凍室に流出することなく除菌フィルターにて、取り除くことができ、脱臭、除菌性能を高めることができる。
【発明を実施するための最良の形態】
【００１２】
請求項１に記載の発明は、冷却器と、前記冷却器で冷却された冷気を循環するためのファンと、前記冷却器およびファンと庫内とを仕切る仕切り板と、前記冷却器と前記ファンとの間の仕切り板に専用ダクトを設け、前記専用ダクト内に除菌フィルターを設けたものであり、冷却器通過時の抵抗に影響されにくく、冷気を積極的に除菌フィルターを通過させることが可能となると共に、冷却器に付着している菌を冷蔵室、冷凍室に流出することなく除菌フィルターにて、取り除くことができる。
【００１３】
請求項２に記載の発明は、請求項１に記載の発明において、専用ダクト内にさらに脱臭触媒を配したものであり、冷却器通過時の抵抗に影響されにくく、冷気を積極的に脱臭触媒を通過させることが可能となると共に、冷却器に付着している臭い成分分子を冷蔵室、冷凍室に流出することなく脱臭触媒にて、取り除くことができ、効率的に除菌と脱臭を同時に行うことができる。
【００１４】
請求項３に記載の発明は、請求項１または２に記載の発明において、専用ダクトを別体構造とし仕切り板から着脱可能としたものであり、製造時の作業性向上と部品交換等のサービス性向上を図ることができる。
【００１５】
請求項４に記載の発明は、請求項１から３のいずれか一項に記載の発明において、除霜運転時にファンを運転する制御手段を備えたものであり、除霜運転時に多く発生する菌や臭い成分分子を積極的に取り除くことができ、冷蔵庫全体の脱臭、除菌性能をさらに高めることができる。
【００１６】
以下、本発明の実施の形態について、図面を参照しながら説明する。なお、この実施の形態によってこの発明が限定されるものではない。
【００１７】
（実施の形態１）
図１は本発明の実施の形態１における冷蔵庫断面図である。
【００１８】
図１において、冷蔵庫本体９は、樹脂製の内箱１０と鋼鈑製の外箱１１の間に発泡断熱材１２を充填して断熱箱体を形成し、上部に冷蔵室１３、中央部に野菜室１４、下部に冷凍室１５を有している。冷凍室１５の背面には冷却器１６と、冷却器１６の上方に冷気を循環するためのファン１７と、冷却器１６の下には冷却器１６の除霜を行うためのヒータ１８を備え、冷凍室１５とは、仕切り板１９にて仕切られている。また、野菜室１４、冷蔵室１３奥には、それぞれ、野菜室ダクト２０、冷蔵室ダクト２１を備え、冷却器１６で冷やされた冷気を各部屋へ導いている。なお、冷却器１６の除霜を行うためのヒータ１８に通電する除霜運転時に、冷凍室１５への熱影響が少ない範囲でファン１７を運転する制御手段（図示せず）を設けている。
【００１９】
図２は本発明の実施の形態１における冷凍室正面図である。
【００２０】
図２において、除菌フィルター２２及び脱臭触媒２３は、仕切り板１９に一体成形された取り付けケース２４に収納され、冷却器１６とファン１７の間に設置されている。また、仕切り板１９の冷却器１６より下方には吸込み口１９ａ、上方には吐出口１９ｂを備えている。
【００２１】
図３は本発明の実施の形態１における除菌フィルター及び脱臭触媒を収納する専用ダクトとしてのケースの斜視図である。
【００２２】
図３において、仕切り板１９に一体成形された取り付けケース２４は上下面を開放した直方体の形状とし専用ダクトを形成している。そして、ケース２４の下面周縁に除菌フィルター保持部２５を設け、除菌フィルター２２と脱臭触媒２３を配している。また、脱臭触媒２３を上方から挿入時に固定する爪２６を有し、爪２６は弾性を持たせるため左右に溝２６ａを形成している。また、ケース２４は、内部に除菌フィルター２２及び脱臭触媒２３の厚みより深く、除菌フィルター２２及び脱臭触媒２３の専用風路２７を形成している。
【００２３】
以上のように構成された冷蔵庫について、以下その動作、作用を説明する。
【００２４】
冷蔵庫９運転時は、冷却器１６は冷媒が流れ冷却される。そしてファン１７が回転し、冷却器１６により冷やされた冷気を冷凍室１５へ送り、冷凍室１５を冷却する。また、野菜室ダクト２０を通り野菜室１４へ送り、野菜室１４を冷却する。更に、冷蔵室ダクト２１を通り冷蔵室１３へ送り、冷蔵室１３を冷却する。
【００２５】
仕切り板１９に一体成形された取り付けケース２４に取り付けられた除菌フィルター２２と脱臭触媒２３は、冷却器１６とファン１７の間に設置されており、冷却器１６通過時の抵抗に影響されにくく、冷気を積極的に除菌フィルター２２と脱臭触媒２３を通過させることが可能となると共に、冷却器１６に付着している菌及び臭い成分分子を冷凍室１５、野菜室１４、冷蔵室１３に流出することなく除菌フィルター２２及び脱臭触媒２３にて、取り除くことができる。また、ケース２４には、除菌フィルター２２及び脱臭触媒２３の厚みより深く形成されているため、冷気が流れる場合に、除菌フィルター２２及び脱臭触媒２３の専用風路２７となり、より積極的に除菌フィルター２２及び脱臭触媒２３に冷気を通過させることが可能となり、効率的に除菌と脱臭を同時に行うことができる。
【００２６】
また、冷蔵庫９を長い時間運転すると、冷却器１６に霜が付着し、冷気の循環が阻害されてくるため、一旦冷却運転を停止し、冷却器１６の下部に取り付けられた除霜ヒータ１８に通電し、冷却器１６に取り付いた霜を溶かす除霜運転を行う。
【００２７】
この除霜運転中に、冷却器１６に霜と共に解けこんだ菌や臭い成分分子が、ヒータ１８により、暖められることにより活性化するが、除霜運転中にファン１７を運転する制御手段により、効率的に、除菌フィルター２２及び脱臭触媒２３により、除菌及び脱臭を行うことができる。
【００２８】
なお、本実施の形態では、ケース２４は仕切り板１９に一体成形したもので説明したが、専用ダクトとしてのケース２４を別体構造とし仕切り板１９から着脱可能としてもよい。この場合、仕切り板１９を外さずにケース２４を取り外せるので除菌フィルター２２及び脱臭触媒２３の交換等のサービス性が向上する。また、ケース２４を組み込む行程を比較的自由に設定できるので、組立て行程の自由度が高まり、製造時の作業効率も向上する。
【産業上の利用可能性】
【００２９】
以上のように、本発明にかかる冷蔵庫は、除菌フィルター、脱臭触媒において、効率的に除菌及び脱臭を行うことが可能であり、空調機器や、通風ダクト等の用途にも適用できる。
【図面の簡単な説明】
【００３０】
【図１】本発明の実施の形態１における冷蔵庫断面図
【図２】本発明の実施の形態１における冷凍室正面図
【図３】本発明の実施の形態１における除菌フィルター及び脱臭触媒の取り付けケースの斜視図
【図４】従来の冷蔵庫の除菌フィルター・脱臭触媒取り付け構造を示す断面図
【図５】同冷蔵庫の除菌フィルター・脱臭触媒取り付けカセットの平面図
【符号の説明】
【００３１】
９    冷蔵庫
１６    冷却器
１７    ファン
１９    仕切り板
２２    除菌フィルター
２３    脱臭触媒
２７    専用風路
【図１】
2005195294.tif 000003
【図２】
2005195294.tif 000004
【図３】
2005195294.tif 000005
【図４】
2005195294.tif 000006
【図５】
2005195294.tif 000007